(57)【要約】      （修正有）【課題】ヘルメットの前後の重量バランスを崩すことなくペンライトをヘルメットの左右側面に取り付ける事が出来るペンライトホルダーを提供する。【解決手段】取付用ベース部材１とペンライトホルダー部材２１が組み付けられ、ゴムバンド固定壁２２とゴムバンド長さ調整用引っ掛け爪２３に依ってゴムバンド部材４１が取り付けられ、ペンライト本体５１の固定を可能とする。ゴムバンド長さ調整用引っ掛け爪挿入孔４２に依って長さ調整が可能である。【選択図】図７
0003162010.tif 000002
【実用新案登録請求の範囲】
【請求項１】
対象物に取り付けるための取付用ベース部材（１）と、ペンライトを固定するためのペンライトホルダー部材（２１）と、ペンライトの外形寸法に合わせて長さ調整をしながら固定するゴムバンド部材（４１）と、とからなるペンライトホルダー。
【請求項２】
前記取付用ベース部材（１）と前記ペンライトホルダー部材（２１）との間に、前記取付用ベース部材に対する前記ペンライトホルダー部材の回転を段階的に制御するためのラッチ機構を設けた事を特徴とする請求項１記載のペンライトホルダー。
【請求項３】
ペンライトホルダー部材（２１）にあるゴムバンド固定壁（２２）とゴムバンド長さ調整用引っ掛け爪（２３）とが、ゴムバンド部材（４１）にあるゴムバンド長さ調整用引っ掛け爪挿入用孔（４２）と、ゴムバンド固定壁挿入孔（４５）とが組み付けられる形状と、からなる長さ調整と締め付けが可能なペンライトホルダー。
【請求項４】
前記対象物が各種形状のヘルメットであり、このヘルメットに対応するために立ち壁（７）と連結壁（９）で挟まれる空間が大きめに確保されており、前記ヘルメットに取付用ベース部材（１）を取り付けた時に生ずる空き空間に、前記ヘルメットに対する前記取付用ベース部材（１）のガタを防止するための部材を設けた事を特徴とする請求項１記載のペンライトホルダー。
【請求項５】
前記ペンライトホルダー部材（２１）は、ペンライトの外形に当接する当接面であって、異なる外形にそれぞれ対応する当接面（２４，３２）を複数組有することを特徴とする請求項１記載のペンライトホルダー。
【考案の詳細な説明】
【技術分野】
【０００１】本考案は、工事現場用ヘルメット、救助隊用ヘルメット、救急隊用ヘルメット又は、腰ベルトや安全帯、肩章にペンライトを取り付けるためのホルダーに関するものである。
【背景技術】
【０００２】ライト本体にバンドが取り付けられており、そのバンドをヘルメット全周に回して固定されていた。（例えば、特許文献１参照。）
または、ウォームねじ基端に設けられた操作部によってペンライトを固定していた。（例えば、特許文献２参照。）
【特許文献１】特開平９−２２３４０３  （段落００２６〜００２７  （第１図））
【特許文献２】特開２０００−３５５８１７  （段落００３５〜００３７  （第９図））
【考案の概要】
【考案が解決しようとする課題】
【０００３】しかしながら従来の問題点は、おでこの位置に取り付けるために目線と光軸の交差角が大きく、焦点を合わせるためにあごを突き出したりして目線と光軸を合わせて運用する必要が有り使いづらかった。
また、ヘルメットに装着した場合にはライトの重さが加わり重心バランスが前に来てしまい、走ったりするとヘルメットが前にずれて来てしまい作業がしづらかった。
また、ライト本体を固定するバンド（ベルト）が、ヘルメットの外装の艶塗装の為に、滑ってしまい外れてしまう恐れが有り、別部品のベルトクリップも購入して固定の為に取り付ける必要があった。【０００４】また、つばの付いたヘルメットでは、光軸をめいっぱい下にして手元を照らそうとすると、つばが邪魔をしてしまい、明るさが落ちてしまって手元の作業がしづらかった。
また、セイフティ・ゴーグルを目に装着する際には、おでこの位置に取り付けられているライトが邪魔で、ライトをかわす様に大きくゴムを伸ばして操作する必要があった。【０００５】また、ヘルメットと腰ベルト又は安全帯又は肩章に共用した取付構造が無かった。【０００６】また、各社さまざまな形状のヘルメットへ対応出来る物がなく、ヘルメットへの装着が確実ではなく、脱落をする恐れがあった。
【課題を解決するための手段】
【０００７】本考案は、このような従来の問題を解決しようとするもので、本ペンライトホルダーを使用する事で、ヘルメットの前後の重量バランスを崩すことなくペンライトをヘルメットの左もしくは右側面に取り付ける事が出来、そして耳の上付近に取り付けるので、光軸のスタートが従来よりも数センチ後方に下がる為に、光軸と目線のズレが極めて小さくなる事を提供する。またペンライトの外形寸法はφ１７ｍｍ〜φ３３ｍｍまでの幅広いペンライトに対応する事を目的とする。【０００８】対象物に取り付けるための取付用ベース部材（１）と、ペンライトを固定するためのペンライトホルダー部材（２１）と、ペンライトの外形寸法に合わせて長さ調整をしながら固定するゴムバンド部材（４１）と、とからなるペンライトホルダー。
【考案の効果】
【０００９】本考案によれば、耳の上の位置に取り付けるために目線と光軸の交差角が小さくなり、焦点を合わせやすくなった。
また、ヘルメットに装着した場合にはライトの重さが加わっても前後の重心バランスが崩れる事が無くなり作業しやすくなった。
また、本ペンライトライトホルダーは樹脂のたわみを利用してヘルメットに固定するために、ヘルメットの外装の艶塗装であっても、滑ってしまう事が無く、装着できるようになった。【００１０】また、つばの付いたヘルメットでも、耳の上の位置から光軸をめいっぱい下にして手元を照らすので、つばが邪魔をする事が無く、明るさも落ちる事なく手元の作業がしやすくなった。
また、セイフティ・ゴーグルを目に装着する際には、ゴーグルバンドの作動用クリアンランスが有る為にライトの存在を気にすることなく操作できるようになった。【００１１】また、ヘルメットと腰ベルト又は安全帯又は肩章に共用できる構造になった。
また、各社さまざまな形状のヘルメットへの装着に対応する為に、ねじ及びゴム、スポンジを用いてフィットさせる事を実現し、脱落を防ぐ事を可能にした。
【図面の簡単な説明】
【００１２】
【図１】本考案の取付用ベース部材の単品斜視図。
【図２】本考案のペンライトホルダー部材の単品斜視図。
【図３】本考案のゴムバンド部材の単品斜視図。
【図４】ペンライト本体の斜視図。
【図５】本考案の取付用ベース部材と本考案のペンライトホルダー部材を組み立てた斜視図。
【図６】同ペンライトホルダー部材を９０°縦向きに回転してある斜視図。
【図７】本考案のホルダーに、ペンライトを本考案のゴムバンド部材で固定した斜視図。
【図８】本考案のホルダーを、ヘルメットの右側面に装着した斜視図。
【図９】本考案の取付用ベース部材の側面図。
【図１０】本考案の取付用ベース部材をヘルメットに装着した断面図。
【図１１】本考案のペンライトホルダーを腰ベルトに装着した斜視図。
【図１２】本考案のペンライトホルダーを肩章に装着した斜視図。
【図１３】従来のヘッドランプをヘルメットに装着した図面。
【図１４】本考案のペンライトホルダー部材の単品側面図。
【図１５】連結ベース部材の斜視図。
【図１６】連結ベース部材の単品側面図。
【図１７】本考案のホルダーに連結ベース部材を組み付けた側面図。
【考案を実施するための形態】
又、ホルダー部材が３６０度回転する事で光軸を目的のポイントに合わせる事が提供できる。また、樹脂のたわみ強度を利用したヘルメットへの着脱方法なので、ヘルメットの右側面や左側面を選ばずに装着できる事を提供する。また、セイフティ・ゴーグルのゴムバンドの作動用のクリアランスを設けてあるので、ペンライトの存在を気にすることなくセイフティ・ゴーグルを目に装着する事を容易にした。
【００１３】本考案のペンライトホルダーは、図８に示されるように、取付用ベース部材（１）をヘルメット（６１）に装着し、ヘルメットの前方をペンライト（５１）が照らして居る図である。ペンライトホルダーを使用する事で、ヘルメットの前後に重量感を感じさせたり、バランスの崩れを発生させる事なく使用する事ができ、またおでこの位置からの照射よりも数センチ後方から照射をするために、目線と光軸のズレを少なくする事が出来るので、あごを突き出して光軸に目線を合わせる必要が無くなる。
【００１４】本考案の取付用ベース部材（１）は、図１に示されるように、本体壁（１３）と曲線壁（１４）と浮かし壁（３）と立ち壁（７）とたわみ用じゃばら壁（８）と連結壁（９）とじゃばら壁（１１）から構成されており、ペンライトホルダー部材カン合孔（２）とキーホルダー孔（５）とネジ孔（６）は本体壁（１３）の面より貫通させて形成されている。ゴーグルゴムバンド作動用クリアランス（１２）は、本体壁（１３）と浮かし壁（３）を結合する曲線壁（１４）がすき間を形成する事で、作られる空間。
【００１５】本考案のペンライトホルダー部材（２１）は、図２に示されるように、本体正面壁（２７）は本体側壁（２６ａ）本体側壁（２６ｂ）とから結合されており本体側壁（２６ａ）にはゴムバンド固定壁（２２）がゴムバンド固定壁連結壁（３０）を介して結合されており、本体側壁（２６ｂ）にはゴムバンド長さ調整用引っ掛け爪（２３）が結合されている。
曲面部１（２４）と曲面部２（３２）は、別曲面で形成されており、本体正面壁（２７）に結合されている。
立ち壁（２５）は底壁（３１）とから結合されており、爪たわみ用逃がしスリット（２８）により、相手物の取付用ベース部材（１）に図１４に示す爪（３３）がカン合する時に、立ち壁（２５）が内側に倒れて組み立てが可能となる。
【００１６】本考案のゴムバンド部材（４１）は、図３に示されるように肉厚壁（４３）にて形成されており、ゴムバンド固定壁挿入孔（４５）は端面に形成されており、ゴムバンド長さ調整用引っ掛け爪挿入用孔（４２）は他端面にほぼ等間隔で形成されている。補強用肉厚壁（４４）は肉厚壁（４３）から結合されている。
【００１７】ペンライト本体（５１）は図４に示す通りの形である。
【００１８】本考案のペンライトホルダーは、図５や図５のペンライトホルダー部材（２１）を回転させた図６に示す様に回転する関係にある。図１に示す取付用ベース部材（１）のラッチメス壁（１５）と図１４に示すペンライトホルダー部材（２１）のラッチオス壁（３４）がはまり合い、回転を段階的に制御する関係に有る。回転は３６０°可能である。
また回転する角度を段階的に制御出来る事に依り、図７の様に取り付けられたペンライト（５１）の照らす方向を一定方向に保持する事が可能である。
【００１９】本考案のペンライトホルダーは図７の通り取付用ベース部材（１）とペンライトホルダー部材（２１）が組み付けられ、ゴムバンド固定壁（２２）とゴムバンド長さ調整用引っ掛け爪（２３）に依ってゴムバンド部材（４１）が取り付けられ、ペンライト本体（５１）の固定を可能とする。ゴムバンド長さ調整用引っ掛け爪挿入孔（４２）に依って長さ調整が可能である。
【００２０】本考案のペンライトホルダーは図８の通り、取付用ベース部材（１）に依ってヘルメット（６１）に装着される関係にある為に、ペンライトホルダーベース部材（２１）、ゴムバンド部材（４１）、ペンライト（５１）がヘルメットに装着される関係にある。
【００２１】ヘルメット（６１）には図９の側面図の取付用ベース部材（１）を、図１０にある取付用ベース部材（１）の様にじゃばら壁（１１）をたわませて挿入し取り付ける。
また、図９の通り、腰ベルト（Ｖ）や肩章（Ｋ）を取付用ベース部材（１）のクリアランスに通す事で腰ベルトや安全帯や肩章に取り付ける事が可能である。
【００２２】じゃばら壁（１１）だけの保持力では弱い場合には図１０の通りゴム、スポンジ（６３）を浮かし壁（３）や立ち壁（７）の内側のすき間や、連結壁（９）の内側のすき間に、貼り付ける事によって脱落を防ぐ事が可能となる。各社さまざまなヘルメットの形状により、それでも保持力が弱い場合には、ネジ（６２）を閉め込み、じゃばら壁（１１）とでヘルメットを挟みこむ様にする。
【００２３】取付用ベース部材（１）のじゃばら壁（１１）を図１１の通り、腰ベルト（Ｖ）に挿入する事で、ハンズフリーでペンライトを使用する事が可能である。
【００２４】取付用ベース部材（１）のじゃばら壁（１１）を図１２の通り、肩章（Ｋ）に挿入する事で、ハンズフリーでペンライトを使用する事が可能である。
【００２５】連結ベース部材（７１）は図１５及び図１６の通り本体壁（８０）は肉厚壁（７４）からなり、立ち壁（７５）を介して爪（７６）を有する。連結壁（８１）を介して傾斜壁（７９）があり傾斜壁にはペンライトホルダー部材カン合孔（７２）がありラッチメス壁（７３）を有する。
【００２６】連結ベース部材（７１）は図１７の通り、取付用ベース部材（１）の連結ベース部材カン合孔（１０）に連結ベース部材（７１）の爪（７６）を引っ掛ける事で連結し、回転する事が出来る。
【００２７】連結ベース部材（７１）にあるペンライトホルダー部材カン合孔（７２）にペンライトホルダー部材（２１）にある爪（３３）を引っ掛ける事で連結する。また図１４にあるペンライトホルダー部材（２１）のラッチオス壁（３３）と、図１５にある連結ベース部材（７１）のラッチメス壁（７３）とがはまり合い、回転を段階的に制御する関係に有る。回転は３６０°可能である。
また回転する角度を段階的に制御出来る事に依り、図１７の様に取り付けられたペンライト（５１）の照らす方向を一定方向に保持する事が可能である。
【産業上の利用可能性】
【００２８】本考案は、ペンライト（胴体外径φ１７ｍｍ〜φ３３ｍｍまで）をヘルメットまたは腰ベルト又は安全帯又は肩章に装着するためのペンライトホルダーに関するものである。
さらに、畜光材料を混ぜ合わせて本考案の取付用ベース部材（１）及びペンライトホルダー部材（２１）を作る事で、夜間第三者からの視認性を上げる目的にも利用できるようになった。
また、ゴムバンド部材（４１）にあるゴムバンド長さ調整用引っ掛け爪挿入用孔（４２）をペンライトホルダー部材（２１）にあるゴムバンド長さ調整用引っ掛け爪（２３）からはずす事で、ワンタッチでペンライトを取り外す事が可能であり、ペンライト単体を手に持って作業する事も可能になった。【００２９】さらに、本考案のペンライトホルダーをヘルメットに装着しない場合には、ズボンの腰ベルトにじゃばら壁（１１）を挿入したり、安全帯をじゃばら壁（１１）及び浮かし壁（３）に挿入する事で持ち運びをしたり、そのままペンライトを点灯する事で、ハンズフリーを実現する腰ベルト用ペンライトホルダーとして利用できるようになった。【００３０】さらに、本考案品をヘルメットに装着した状態で、ペンライトホルダー部材（２１）後方へ回転し、肩や背中を照射する向きでペンライトを点灯する事で後方からの認知を目的としたライトの照射も可能になった。【００３１】さらに、本考案のペンライトホルダーのじゃばら壁（１１）を制服の肩章に引っ掛ける事で、肩章用ペンライトホルダーとしての利用も可能となり、ハンズフリーで作業する事が可能になった。
【符号の説明】１  取付用ベース部材
２  ペンライトホルダー部材カン合孔
３  浮かし壁
４  肉厚壁
５  キーホルダー孔
６  ネジ孔
７  立ち壁
８  たわみ用じゃばら壁
９  連結壁
１０  連結ベース部材カン合孔
１１  じゃばら壁
１２  ゴーグルゴムバンド作動用クリアランス
１３  本体壁
１４  曲線壁
１５  ラッチメス壁
２１  ペンライトホルダー部材
２２  ゴムバンド固定壁
２３  ゴムバンド長さ調整用引っ掛け爪
２４  曲面部１
２５  立ち壁
２６ａ  本体側壁
２６ｂ  本体側壁
２７  本体正面壁
２８  爪たわみ用逃がしスリット
２９  爪形成用孔
３０  ゴムバンド固定壁連結壁
３１  底壁
３２  曲面部２
３３  爪
３４  ラッチオス壁
４１  ゴムバンド部材
４２  ゴムバンド長さ調整用引っ掛け爪挿入用孔
４３  肉厚壁
４４  補強用肉厚壁
４５  ゴムバンド固定壁挿入孔
５１  ペンライト
６１  ヘルメット
６２  ネジ
６３  ゴム、スポンジ
７１  連結ベース部材
７２  ペンライトホルダー部材カン合孔
７３  ラッチメス壁
７４  肉厚壁
７５  立ち壁
７６  爪
７７  爪たわみ用逃がしスリット
７８  ラッチオス壁
７９  傾斜壁
８０  本体壁
８１  連結壁
Ｖ  腰ベルト
Ｋ  肩章
【図１】
0003162010.tif 000003
【図２】
0003162010.tif 000004
【図３】
0003162010.tif 000005
【図４】
0003162010.tif 000006
【図５】
0003162010.tif 000007
【図６】
0003162010.tif 000008
【図７】
0003162010.tif 000009
【図８】
0003162010.tif 000010
【図９】
0003162010.tif 000011
【図１０】
0003162010.tif 000012
【図１１】
0003162010.tif 000013
【図１２】
0003162010.tif 000014
【図１３】
0003162010.tif 000015
【図１４】
0003162010.tif 000016
【図１５】
0003162010.tif 000017
【図１６】
0003162010.tif 000018
【図１７】
0003162010.tif 000019